(57)【要約】【課題】利用者が通信端末を持って体重計に乗ったか否かを判定し、通信端末を持っている場合には、通信端末の重量を自動的に差し引く体重測定方法、システム及び体重計を提供する。【解決手段】通信端末の重量を決定する端末重量決定工程と、利用者が通信端末を保持しているか否かを通信端末によって判別する判別工程と、利用者の体重を体重計によって測定する体重測定工程と、を有し、体重測定工程は、判別工程における判別結果を通信端末から受信する受信工程と、利用者が体重計に乗ることによって受けた荷重を測定する荷重測定工程と、判別工程において利用者が通信端末を保持していると判別した場合は荷重から通信端末の重量を減算した値を利用者の体重として決定し、利用者が通信端末を保持していないと判別した場合は荷重を利用者の体重として決定する体重決定工程と、を有する。【選択図】図１
2014190785.tif 000002
【特許請求の範囲】
【請求項１】
通信端末及び体重計を用いて利用者の体重を測定する体重測定方法であって、
前記通信端末の重量を決定する端末重量決定工程と、
前記利用者が前記通信端末を保持しているか否かを前記通信端末によって判別する判別工程と、
前記利用者の体重を前記体重計によって測定する体重測定工程と、を有し、
前記体重測定工程は、
前記判別工程における判別結果を前記通信端末から受信する受信工程と、
前記利用者が前記体重計に乗ることによって受けた荷重を測定する荷重測定工程と、
前記判別工程において前記利用者が前記通信端末を保持していると判別した場合は前記荷重から前記通信端末の重量を減算した値を前記利用者の体重として決定し、前記利用者が前記通信端末を保持していないと判別した場合は前記荷重を、前記利用者の体重として決定する体重決定工程と、
を有すること
を特徴とする体重測定方法。
【請求項２】
前記体重測定工程の前に、前記通信端末の重量を前記体重計によって測定して登録する端末重量登録工程を有することを特徴とする請求項１に記載の体重測定方法。
【請求項３】
前記受信工程において、前記通信端末の機種情報を前記通信端末から受信し、前記端末重量決定工程において、前記通信端末の機種に対応した端末重量テーブルに基づいて、受信した前記機種情報に対応する前記通信端末の重量を決定することを特徴とする請求項１に記載の体重測定方法。
【請求項４】
前記端末重量テーブルはあらかじめ前記体重計に記憶されていることを特徴とする請求項３に記載の体重測定方法。
【請求項５】
前記端末重量テーブルはあらかじめ外部サーバに記憶されていることを特徴とする請求項３に記載の体重測定方法。
【請求項６】
前記端末重量決定工程において、前記利用者が前記通信端末又は前記体重計を操作して前記通信端末の重量を入力することによって、前記通信端末の重量を決定することを特徴とする請求項１に記載の体重測定方法。
【請求項７】
通信端末及び体重計を用いて利用者の体重を測定する体重測定方法であって、
前記通信端末の重量を決定する端末重量決定工程と、
前記通信端末において、前記利用者による前記通信端末の保持状態に関する情報を検知する検知工程と、
前記検知工程による検知結果を受信する受信工程と、
前記受信工程において受信した前記検知結果に基づいて、前記利用者が前記通信端末を保持しているか否かを前記体重計において判別する判別工程と、
前記利用者の体重を前記体重計によって測定する体重測定工程と、
を有し、
前記体重測定工程は、
前記利用者が前記体重計に乗ることによって受けた荷重を測定する荷重測定工程と、
前記判別工程において前記利用者が前記通信端末を保持していると判別した場合は前記荷重から前記通信端末の重量を減算した値を前記利用者の体重として決定し、前記利用者が前記通信端末を保持していないと判別した場合は前記荷重を前記利用者の体重として決定する体重決定工程と、
を有すること
を特徴とする体重測定方法。
【請求項８】
通信端末と体重計とを備えた体重測定システムであって、
前記通信端末は、
利用者による前記通信端末の保持状態に関する情報を検知するセンサと、
前記センサが検知した前記保持状態に関する情報に基づいて、前記利用者が前記通信端末を保持しているか否かを判別する判別部と、
前記判別部による判別結果と前記通信端末に関する端末情報とを前記体重計に送信する第１通信部と、を備え、
前記体重計は、
前記第１通信部が送信した前記判別結果と前記端末情報とを受信する第２通信部と、
前記端末情報に基づいて前記通信端末の重量を決定する端末重量決定部と、
前記利用者が前記体重計に乗ることによって受けた荷重を測定する荷重測定部と、
前記判別結果が前記通信端末を保持しているものである場合は前記荷重から前記通信端末の前記重量を減算した値を前記利用者の体重として決定し、前記判別結果が前記通信端末を保持していないものである場合は前記荷重を前記利用者の体重として決定する体重決定部と、
を有すること
ことを特徴とする体重測定システム。
【請求項９】
利用者の体重を測定する体重計であって、
前記体重計は、
前記利用者が前記体重計に乗ることによって受けた荷重を測定する荷重測定部と、
前記利用者が通信端末を保持しているか否かの情報を前記通信端末から受信する受信部と、
前記通信端末の重量を決定する重量決定部と、
前記利用者の体重を決定する体重決定部と、
を備え、
前記体重決定部は、
前記利用者が前記通信端末を保持している情報を前記受信部が受信した場合は前記荷重から前記通信端末の重量を減算した値を前記利用者の体重として決定し、前記利用者が前記通信端末を保持していない情報を前記受信部が受信した場合は前記荷重を前記利用者の体重として決定すること
を特徴とする体重計。
【請求項１０】
前記重量決定部は、前記通信端末の重量を前記体重計によって測定して登録することを特徴とする請求項９に記載の体重計。
【請求項１１】
前記受信部は、前記通信端末の機種情報を前記通信端末から受信し、前記重量決定部は、前記通信端末の機種に対応した端末重量テーブルに基づいて、受信した前記機種情報に対応する前記通信端末の重量を決定することを特徴とする請求項９に記載の体重計。
【請求項１２】
前記端末重量テーブルはあらかじめ前記体重計に記憶されていることを特徴とする請求項１１に記載の体重計。
【請求項１３】
前記端末重量テーブルはあらかじめ外部サーバに記憶されていることを特徴とする請求項１１に記載の体重計。
【発明の詳細な説明】
【技術分野】
【０００１】
本発明は、利用者が通信端末を持ったまま体重計に乗ったときに、体重計が測定した重量から通信端末の重量を差し引いて利用者の体重とする体重測定方法、体重測定システム及び体重計に関する。
【背景技術】
【０００２】
近年、スマートフォン、携帯電話機又はタブレット端末のような通信端末が普及しており、このような通信端末と体重計とを組み合わせて用いるケースが増えている。
【０００３】
このようなケースとしては、例えば、利用者の通信端末に予め所定のアプリケーションソフトウェアをダウンロードしておき、そのソフトウエアを起動させた状態で体重計に乗ると、体重計により測定された重量（体重）が手元の通信端末に送信されて、通信端末の表示部で表示される、通信端末に自動的に測定結果が記録される、というシステムとして構成されるものが挙げられ、このようなシステムでは、記録されたデータ等を用いて所定期間における体重管理を行うことができる。このようなケースにおいて、体重計では、利用者の体重に加えて、利用者が手に持っている通信端末の重量をも測定してしまうため、体重計が利用者の体重のみを正確に表示するためには、測定値から通信端末の重量を差し引く、いわゆる風袋引きが必要となる。
【先行技術文献】
【特許文献】
【０００４】
【特許文献１】特開２００１−１２９９７号公報
【発明の概要】
【発明が解決しようとする課題】
【０００５】
このような体重計における風袋引きは、利用者が通信端末を持って体重計に乗った場合にのみ行う必要がある。そのため、従来のシステムでは、体重測定時には、まず利用者自身に対して風袋引きを実行するか否かの選択が求められ、所定のボタンを押す等の所定の操作が行われなければならず、利用者によって前記所定の操作がなされた場合にのみ、体重計は風袋引きを実行するようになっていた。従って、従来のシステムにおいては、利用者が風袋引きの要否を判断し、風袋引き実行のための操作をしなければならないため、測定前の操作等が煩わしいものになっていた。
【０００６】
特許文献１には、本体から表示器が分離された体重計において、利用者が表示器を持って体重を測定した場合に、表示器の重量を風袋引きすることが開示されている。また、利用者が表示器を保持しているか否かを、利用者の身体の一部が表示器に設けた電極と接触しているか否かで判定すること、表示部に設けた保持教示手段（投入スイッチ等のメカニカルスイッチ）で構成し、メカニカルスイッチの投入によって被測定者による表示器の保持を検知すること、が開示されている。しかし、特許文献１の表示部は電極や所定のスイッチ等が必要な、本体に対する専用品であって、一般的にスマートフォン、携帯電話機又はタブレット端末等の通信端末には必ずしもそのような電極等は備えられていない。したがって、特許文献１と同様の手段によっては、通信端末と体重計からなるシステムにおいて、利用者が表示器を保持しているか否かを判定することができない。また、例えば、利用者が通信端末を手に持たずに服のポケット等に入れている場合も、特許文献１と同様の手段によっては前記判定をすることができない。
【０００７】
そこで、本発明は、このような問題点に鑑みてなされたものであり、利用者が通信端末を持って体重計に乗ったか否かを判定し、通信端末を持っている場合には、その通信端末の重量を自動的に差し引く体重測定方法、体重測定システム及び体重計を提供することを目的とする。
【課題を解決するための手段】
【０００８】
上記課題を解決するために、本発明の体重測定方法は、通信端末及び体重計を用いて利用者の体重を測定する体重測定方法であって、前記通信端末の重量を決定する端末重量決定工程と、前記利用者が前記通信端末を保持しているか否かを前記通信端末によって判別する判別工程と、前記利用者の体重を前記体重計によって測定する体重測定工程と、を有し、前記体重測定工程は、前記判別工程における判別結果を前記通信端末から受信する受信工程と、前記利用者が前記体重計に乗ることによって受けた荷重を測定する荷重測定工程と、前記判別工程において前記利用者が前記通信端末を保持していると判別した場合は前記荷重から前記通信端末の重量を減算した値を前記利用者の体重として決定し、前記利用者が前記通信端末を保持していないと判別した場合は前記荷重を前記利用者の体重として決定する体重決定工程と、を有することを特徴とする。
【０００９】
また、本発明の体重測定方法は、前記体重測定工程の前に、前記通信端末の重量を前記体重計によって測定して登録する端末重量登録工程を有することを特徴とする。
【００１０】
また、本発明の体重測定方法は、前記受信工程において、前記通信端末の機種情報を前記通信端末から受信し、前記端末重量決定工程において、前記通信端末の機種に対応した端末重量テーブルに基づいて、受信した前記機種情報に対応する前記通信端末の重量を決定することを特徴とする。
【００１１】
また、本発明の体重測定方法において、前記端末重量テーブルはあらかじめ前記体重計に記憶されていることを特徴とする。
【００１２】
また、本発明の体重測定方法において、前記端末重量テーブルはあらかじめ外部サーバに記憶されていることを特徴とする。
【００１３】
また、本発明の体重測定方法は、前記端末重量決定工程において、前記利用者が前記通信端末又は前記体重計を操作して前記通信端末の重量を入力することによって、前記通信端末の重量を決定することを特徴とする。
【００１４】
また、本発明の体重測定方法は、通信端末及び体重計を用いて利用者の体重を測定する体重測定方法であって、前記通信端末の重量を決定する端末重量決定工程と、前記通信端末において、前記利用者による前記通信端末の保持状態に関する情報を検知する検知工程と、前記検知工程による検知結果を受信する受信工程と、前記受信工程において受信した前記検知結果に基づいて、前記利用者が前記通信端末を保持しているか否かを前記体重計において判別する判別工程と、前記利用者の体重を前記体重計によって測定する体重測定工程と、を有し、前記体重測定工程は、前記利用者が前記体重計に乗ることによって受けた荷重を測定する荷重測定工程と、前記判別工程において前記利用者が前記通信端末を保持していると判別した場合は前記荷重から前記通信端末の重量を減算した値を前記利用者の体重として決定し、前記利用者が前記通信端末を保持していないと判別した場合は前記荷重を前記利用者の体重として決定する体重決定工程と、を有することを特徴とする。
【００１５】
また、本発明の体重測定システムは、通信端末と体重計とを備えた体重測定システムであって、前記通信端末は、利用者による前記通信端末の保持状態に関する情報を検知するセンサと、前記センサが検知した前記保持状態に関する情報に基づいて、前記利用者が前記通信端末を保持しているか否かを判別する判別部と、前記判別部による判別結果と前記通信端末に関する端末情報とを前記体重計に送信する第１通信部と、を備え、前記体重計は、前記第１通信部が送信した前記判別結果と前記端末情報とを受信する第２通信部と、前記端末情報に基づいて前記通信端末の重量を決定する端末重量決定部と、前記利用者が前記体重計に乗ることによって受けた荷重を測定する荷重測定部と、前記判別結果が前記通信端末を保持しているものである場合は前記荷重から前記通信端末の前記重量を減算した値を、前記判別結果が前記通信端末を保持していないものである場合は前記荷重を前記利用者の体重として決定し、前記利用者の体重として決定する体重決定部とを有することを特徴とする。
【００１６】
また、本発明の体重計は、利用者の体重を測定する体重計であって、前記体重計は、前記利用者が前記体重計に乗ることによって受けた荷重を測定する荷重測定部と、前記利用者が通信端末を保持しているか否かの情報を前記通信端末から受信する受信部と、前記通信端末の重量を決定する重量決定部と、前記利用者の体重を決定する体重決定部と、を備え、前記体重決定部は、前記利用者が前記通信端末を保持している情報を前記受信部が受信した場合は前記荷重から前記通信端末の重量を減算した値を前記利用者の体重として決定し、前記利用者が前記通信端末を保持していない情報を前記受信部が受信した場合は前記荷重を前記利用者の体重として決定することを特徴とする。
【００１７】
また、本発明の体重計において、前記重量決定部は、前記通信端末の重量を前記体重計によって測定して登録することを特徴とする。
【００１８】
また、本発明の体重計において、前記受信部は、前記通信端末の機種情報を前記通信端末から受信し、前記重量決定部は、前記通信端末の機種に対応した端末重量テーブルに基づいて、受信した前記機種情報に対応する前記通信端末の重量を決定することを特徴とする。
【００１９】
また、本発明の体重計において、前記端末重量テーブルはあらかじめ前記体重計に記憶されていることを特徴とする。
【００２０】
また、本発明の体重計において、前記端末重量テーブルはあらかじめ外部サーバに記憶されていることを特徴とする。
【発明の効果】
【００２１】
本発明によると、利用者が通信端末を持って体重計に乗ったか否かを判定し、通信端末を持っている場合には、その通信端末の重量を自動的に差し引く体重測定方法、体重測定システム及び体重計を提供することができる。
【図面の簡単な説明】
【００２２】
【図１】本発明の実施形態に係る体重測定システムの構成を示すブロック図である。
【図２】（ａ）は利用者が通信端末を手に持っている場合の振動の周波数の例を示すグラフ、（ｂ）は利用者が通信端末を置いている場合の振動の周波数の例を示すグラフである。
【図３】本発明の実施形態において、利用者が通信端末を保持しているか否かを判別するための処理の流れを示すフローチャートである。
【図４】本発明の実施形態において、利用者の体重測定の処理の流れを示すフローチャートである。
【発明を実施するための形態】
【００２３】
以下、本発明の実施形態に係る体重測定システム及びこの体重測定システムを用いた体重測定方法について図面を参照しつつ詳しく説明する。
＜体重測定システムの構成＞
図１は、本実施形態に係る体重測定システムの構成を示すブロック図である。
図１に示すように、本実施形態にかかる体重測定システム３０は、通信端末１０と体重計２０とを備える。
【００２４】
通信端末１０は、例えば、スマートフォン、タブレット端末（タブレット型パソコン）、又はノートパソコン（ノート型パーソナルコンピュータ）であって、インターネット通信機能や電話機能を備えた端末である。図１に示すように、通信端末１０は、センサ１１、判別部１２、通信部１３（第１通信部）、操作部１４、記憶部１５、表示部１６、及び制御部１７を備える。
【００２５】
センサ１１は、例えば加速度センサであって、利用者による通信端末１０の保持状態に関する情報を検知する。判別部１２は、例えば演算処理回路であって、センサ１１が検知した保持状態に関する情報に基づいて、利用者が通信端末１０を保持しているか否かを判別する演算を行う。
【００２６】
図２は、センサ１１として加速度センサを用いた場合に、センサ１１が検知・出力した通信端末１０の振動の強度（加速度）に関する、振動の周波数を表したグラフである。図２（ａ）は利用者が通信端末１０を手に持っている場合の振動の周波数の例を示すグラフ、図２（ｂ）は利用者が通信端末１０を置いている場合の振動の周波数の例を示すグラフである。図２（ａ）は、通信端末１０を起動して手で保持したり着衣のポケットに入れたりしているときの、呼吸や脈拍などの人特有の揺れにより現れる周波数の例であり、図２（ｂ）は、通信端末１０を起動して例えば洗濯機や台の上などに置いているときの、洗濯機の振動や建物の風による振動等により現れる周波数の例であり、両者の間には顕著な違いを見出すことができる。振動の周波数の差異に応じて、利用者が通信端末１０を保持しているか否かを判断することが可能となる。
【００２７】
センサ１１である加速度センサは、利用者による通信端末１０の保持状態に関する情報として、通信端末１０の振動による加速度データをＸ軸、Ｙ軸、Ｚ軸のそれぞれについて出力する。判別部１２は、センサ１１から出力された加速度データに基づいて、利用者が通信端末１０を保持しているか否かを判別する。
例えば、通信端末１０の記憶部１５には、利用者が通信端末１０を保持しているときの振動のピーク時の強度及び周波数その他のデータ（判別用データ）が予め記憶されており、このデータと、センサ１１から出力されたデータと、を互いに比較することによって利用者が通信端末１０を保持しているか否かの判別を行う。センサ１１から出力されたデータに関しては、通信端末１０の記憶部１５に記憶されたプログラムに従って、加速度センサのＸＹＺの各軸の出力値に基づいてＦＦＴ（高速フーリエ変換）計算を実行して各軸についての周波数成分を算出し、この成分を用いて判別を行うのが好適である。ＦＦＴ計算は、予め記憶部１５に保存されたプログラムに従って制御部１７が実行する。なお、周波数解析方法はＦＦＴ法に限らず、最大エントロピー法、ウェーブレット変換法のように周波数解析方法であればなんでも良い。
ここで、予め記憶部１５に記憶されている上記データは、通信端末１０の種類・機種に対応したテーブル形式のデータであることが好ましい。
【００２８】
通信部１３は、第１通信部として、判別部１２による判別結果と通信端末１０に関する端末情報とを、体重計２０の通信部２１へ送信する。端末情報としては、例えば、メーカー名や型番がある。
操作部１４は、電話やインターネット通信のための操作や体重測定のための操作を行うためのものであって、例えばタッチセンサで構成される。
記憶部１５は、例えば記憶回路であって、電話やインターネット通信のために必要な情報のほか、体重測定に関わるデータが記憶されている。体重測定に関わるデータとしては、例えば、センサ１１による検知結果、判別部１２による判別結果、前記判別用データ、各種処理のためのプログラムがある。
【００２９】
表示部１６は、例えば、液晶パネルであって、その表面が操作部１４としてのタッチセンサとなっているものがある。表示部１６は、インターネット通信や電話に関連する情報のほか、体重測定に関する情報、測定結果、利用者の生体情報などを表示する。
制御部１７は、センサ１１、判別部１２、通信部１３、操作部１４、記憶部１５、及び表示部１６に電気的に接続されており、センサ１１の検知結果や操作部１４の操作内容を受けて、判別部１２及び通信部１３に所定の処理を実行させ、表示部１６に所定の内容を表示させる。
【００３０】
体重計２０は、利用者が乗ることによって受けた荷重に基づいて利用者の体重を測定するものであり、体脂肪計や体組成計などの機能を備えているものであってもよい。体重計２０は、通信部２１（第２通信部）、端末重量決定部２２、荷重測定部２３、体重決定部２４、操作部２５、記憶部２６、表示部２７、及び制御部２８を備える。
【００３１】
通信部２１は、第２通信部として、通信端末１０の通信部１３が送信した情報を受信する。通信部２１が受信する情報には、判別部１２による判別結果と通信端末１０の端末情報が含まれる。また、通信端末１０の通信部１３と体重計２０の通信部２１とは相互に通信可能である。
端末重量決定部２２は、通信部２１が受信した端末情報に基づいて通信端末１０の重量を決定する。通信端末１０の重量の決定は、受信した端末情報と、体重計２０の記憶部２６に予め記憶されている各種通信端末の型番（機種）に対応した通信端末重量テーブルと、に基づいて行う。
【００３２】
荷重測定部２３は、例えば、体重計２０の測定面の四隅に配置した荷重センサであり、利用者が体重計２０の測定面に乗ることによって各荷重センサが受けた荷重の検知信号に基づいて、荷重として、公知の算出方法により利用者の体重を測定する。各荷重センサは、例えばロードセルで構成する。
【００３３】
体重決定部２４は、判別部１２による判別結果に応じて利用者の体重を次のように決定する。
（１）利用者が通信端末１０を保持しているという判別結果である場合は、荷重測定部２３が測定した荷重から通信端末１０の重量を減算した値を利用者の体重として決定する。
（２）利用者が通信端末１０を保持していないという判別結果である場合は、通信端末１０の重量を減算することなく、荷重測定部２３が測定した荷重を利用者の体重として決定する。
なお、判別部１２による判別結果を受信しなかった場合は、通信端末１０の重量を減算することなく、荷重測定部２３が測定した荷重を利用者の体重として決定する。
【００３４】
操作部２５は、体重測定に必要な情報の入力、体重計の操作などを行うためのものである。
記憶部２６は、例えば記憶回路であって、体重測定に関わるデータとして、各種通信端末の型番に対応した通信端末重量テーブル、端末重量決定部２２が決定した端末重量、利用者の生体情報、荷重測定部２３による測定結果、各種処理のためのプログラムなどが保存される。
表示部２７は、例えば、液晶パネルであって、利用者の生体情報、各工程における処理条件・処理結果、体重測定の進行に関する情報などを表示する。
制御部２８は、通信部２１、端末重量決定部２２、荷重測定部２３、体重決定部２４、操作部２５、記憶部２６、及び表示部２７に電気的に接続されており、荷重測定部２３の測定結果や操作部２５の操作内容を受けて、通信部２１、端末重量決定部２２、及び体重決定部２４に所定の処理を実行させ、表示部２７に所定の内容を表示させる。
【００３５】
＜体重測定の流れ＞
図３、図４を参照して体重測定の流れについて説明する。図３は、利用者が通信端末１０を保持しているか否かを判別するための処理の流れを示すフローチャートである。図４は、利用者の体重測定の処理の流れを示すフローチャートである。
【００３６】
（１）図３を参照して、利用者が通信端末１０を保持しているか否かを判別する処理（判別工程）の流れについて説明する。
利用者が、通信端末１０の操作部１４を操作することによって体重測定プログラムを起動し、体重測定の開始を指示した場合、制御部１７は、体重計２０に対して荷重測定コマンドを送信する（ステップＳ１）。荷重測定コマンドは、通信部１３から通信部２１を経て体重計２０へ送信され、体重計２０の制御部２８は、体重計２０を荷重測定可能な待機状態とする。また、通信端末１０の制御部１７は、荷重測定コマンドの送信時に通信端末１０の端末情報も体重計２０へ送信する。
【００３７】
続いて、通信端末１０の制御部１７は、センサ１１の加速度センサをオンにして通信端末１０に発生する加速度の検知を開始させる（ステップＳ２）。制御部１７は、センサ１１からの出力を取得し（ステップＳ３）、ＸＹＺの各軸の出力値についてＦＦＴ計算（ステップＳ４）して、計算結果を記憶部１５に保存する。
【００３８】
判別部１２は、上記ステップＳ４におけるＦＦＴ計算の結果を参照し、利用者が通信端末１０を保持しているか否かを判別する（ステップＳ５）。この判別は、前記周波数解析がされたセンサ１１の出力が、記憶部１５に予め記憶された判別用データとしての周波数成分を有するか否かにより行う。
【００３９】
周波数解析がされたセンサ１１の出力が、判別用データとしての周波数成分を有すると判別部１２が判別した場合（ステップＳ５でＹｅｓ）、制御部１７は利用者が通信端末１０を保持していることを示すフラグを立てる（ステップＳ６）。周波数解析がされたセンサ１１の出力が、判別用データとしての周波数成分を有しないと判別部１２が判別した場合（ステップＳ５でＮｏ）、制御部１７は利用者が通信端末１０を保持していないことを示すフラグを立てる（ステップＳ７）。
ステップＳ６、Ｓ７のフラグデータ（判別部１２による判別結果）は、通信端末１０の保持状態（端末状態）として、通信部１３から通信部２１を経て体重計２０へ送信される（ステップＳ８）。
上記ステップＳ３からＳ８までの処理は、一定の時間間隔（例えば０．５ｍｓ間隔）で繰り返し行われる。
【００４０】
（２）図４を参照して、利用者の体重測定（体重測定工程）の流れについて説明する。
体重計２０は、利用者が操作部２５を操作することによって起動すると待機状態（ステップＳ１１）となり、通信端末１０からの荷重測定コマンドの送信（図３のステップＳ１）を待機する（ステップＳ１２でＮｏ）。
通信端末１０から荷重測定コマンドを受信すると（ステップＳ１２でＹｅｓ）、体重計２０は荷重測定のための処理を開始する（ステップＳ１３、荷重測定工程）。例えば、制御部２８は、荷重測定部２３としてのロードセルのゼロ点更新処理を指示したり、ゼロ点更新処理後、表示部２７において、利用者に体重計２０上に乗るように促す表示をさせたり、荷重測定部２３は利用者が体重計２０に乗ることによる荷重値Ｗａを検知・取得する（ステップＳ１４）。
【００４１】
制御部２８は、通信端末１０から送信される端末状態を示す信号（図３のステップＳ８参照）、即ち、判別部１２による判別結果を示す信号を受信している場合（ステップＳ１５でＹｅｓ、受信工程）であって、その受信した信号（フラグデータ）が、通信端末１０を利用者が保持していることを示すものであるとき（ステップＳ１６でＹｅｓ）は、制御部２８は、通信端末１０の端末重量値Ｔａを端末重量決定部２２により決定させ、その結果は記憶部２６に保存させる（ステップＳ１７、端末重量決定工程）。端末重量決定部２２は、荷重測定コマンドの受信時と同時に通信端末１０から受信している端末情報に対応する通信端末１０の端末重量値Ｔａを、記憶部２６の各種通信端末の型番に対応した通信端末重量テーブルに基づいて決定する。これに対して、受信した判別部１２による判別結果を示す信号（フラグデータ）が、通信端末１０を利用者が保持していないことを示すものであるとき（ステップＳ１６でＮｏ）は、端末重量値Ｔａは初期値のゼロのままとする。
なお、端末重量値Ｔａは、ステップＳ１１〜Ｓ１３の間で初期値としてはゼロに設定されている。
【００４２】
一方、判別部１２による判別結果を示す信号を受信していない場合（ステップＳ１５でＮｏ）、端末重量値Ｔａは初期値のゼロのままとする。
【００４３】
つづいて、制御部２８は、体重決定部２４に対して、測定した荷重値Ｗａから端末重量値Ｔａを減算させ、その計算結果を利用者の体重値Ｗ０とする（ステップＳ１８、体重決定工程）。算出された体重値Ｗ０は、表示部２７に表示される（ステップＳ１９）。
【００４４】
ステップＳ１８で計算された体重値Ｗ０が安定した場合（ステップＳ２０でＹｅｓ）、制御部２８は体重値を確定させ、その値を記憶部２６に保存させる（ステップＳ２１）。体重値Ｗ０が安定しない場合（ステップＳ２０でＮｏ）は、ステップＳ１４以降の処理を繰り返す。
【００４５】
以下、変形例について説明する。
上述の体重測定工程（図４）においては、体重計２０が通信端末１０から荷重測定コマンドを受信することにより荷重測定を開始（図４のステップＳ１３）していたが、これに代えて、又は、これに加えて、利用者が体重計２０の操作部２５を操作することにより荷重測定を開始するようにしてもよい。
【００４６】
上述の説明では、通信端末１０を保持している例として、主として利用者が通信端末１０を手で把持している場合を挙げているが、利用者が通信端末１０をポケットに入れた状態でも利用者の体は完全には静止せずに搖動しているため、それによる通信端末１０の振動状態をセンサ１１で検出して、上記と同様にして体重測定を行うことができる。
【００４７】
上記実施形態では、荷重測定コマンドの受信時と同時に通信端末１０から受信している端末情報に対応する通信端末１０の端末重量値Ｔａを、記憶部２６の各種通信端末の型番に対応した通信端末重量テーブルに基づいて決定することを説明したが、必ずしもこれに限定されるものではない。例えば、これに代えて、体重の測定の前に、初期設定モードにおいて通信端末１０を体重計２０の測定面上に乗せて荷重測定部２３によって通信端末１０の重量を直接測定し、記憶部２６に記憶させておくようにしてもよい。この場合は、端末重量決定部２２は、上記ステップＳ１７において、初期設定で記憶部２６に記憶されている端末１０の重量を端末重量値Ｔａとして決定すればよい。
利用者によっては、通信端末１０に専用のカバーやアクセサリーなどを装着させているために、通信端末１０は真の重量値よりも重くなっている場合もある。上記のような初期設定において、カバーやアクセサリーを装着している状態の通信端末１０の重量を登録しておけば、より正確な体重測定が可能となる点で好ましい。
【００４８】
上記実施形態では、体重計２０の記憶部２６の各種通信端末の型番に対応した通信端末重量テーブルに基づいて通信端末１０の端末重量値Ｔａを決定したが、この端末重量テーブルを外部サーバに格納しておいてもよい。この場合は、通信端末１０又は体重計２０が外部サーバにアクセスして端末重量テーブルに基づいて通信端末１０の重量を決定する。
【００４９】
通信端末１０の重量決定としては、利用者自らが、自己の通信端末１０の重量の値を、通信端末１０の操作部１４、又は、体重計２０の操作部２５を操作して直接入力してもよい。また、端末情報に端末重量を含めても良い。
【００５０】
上記実施形態では、センサ１１の検知結果に基づいて、通信端末１０の判別部１２が利用者による保持状態の判別する形態を説明したが、これに代えて、センサ１１の検知結果を体重計２０に送信し、体重計２０側の判別部（図に示さず）において利用者による保持状態の判別を行うようにしても良い。
【００５１】
上記実施形態では、周波数解析を行うことで、通信端末１０が利用者による保持状態の判別する形態を説明したが、これに代えて、３軸加速度センサの合成加速度値が一定範囲内にあるかどうかで判別してもよい。全く振動のないところに置いた場合、３軸加速度センサの合成加速度値は約１Ｇ（重力）となる。つまり、３軸加速度センサの合成加速度値が１Ｇ±閾値以内であれば、通信端末は利用者に保持されていないと判別し、それ以上ならば、通信端末は利用者に保持されていると判別を行うようにしても良い。
【００５２】
上記実施形態では、通信端末１０のセンサ１１として、加速度センサの例を挙げたが、これ以外のセンサとして例えばタッチセンサや光センサを用いることもできる。タッチセンサとしては、例えば、操作部１４としてのタッチセンサを用いて、利用者がタッチセンサに触れているか否かによって保持状態を判別する。光センサを用いる場合は、通信端末１０の表面のいずれかに設け、光センサへの光の入射が遮られたときに利用者によって保持されていると判別するようにしてもよい。
【００５３】
通信端末１０の判別部１２、表示部１６は別個の回路で構成してもよいし、共通の回路で構成しても良い。体重計２０の端末重量決定部２２、体重決定部２４についても、別個の回路で構成してもよいし、共通の回路で構成しても良い。
【００５４】
以上のように構成されたことから、上記実施形態によれば、次の効果を奏する。
（１）通信端末を用いて行う体重測定時において、使用する通信端末を利用者が手で持っているか否かの判別を、利用者に意識させずに自動的に行うことができる。
（２）また、利用者が通信端末を持って体重計に乗ったか否かについて、利用者に特定の操作をさせることなく、自動的に判別することができる。
（３）さらに、利用者が通信端末を持って体重計に乗った場合には、利用者が体重計に乗ったことによって受ける荷重から、通信端末の重量を自動的に差し引いて利用者の体重とし、通信端末を持たずに体重計に載った場合には、測定した荷重を利用者の体重として自動的に決定することができる。
【００５５】
本発明について上記実施形態を参照しつつ説明したが、本発明は上記実施形態に限定されるものではなく、改良の目的または本発明の思想の範囲内において改良または変更が可能である。
【産業上の利用可能性】
【００５６】
以上のように、本発明に係る体重測定方法、体重測定システム及び体重計は、通信端末と体重計を組み合わせた体重測定の場面で有用である。また、精密な体重測定が求められる場合に有用である。
【符号の説明】
【００５７】
１０    通信端末
１１    センサ
１２    判別部
１３    通信部（第１通信部）
１４    操作部
１５    記憶部
１６    表示部
１７    制御部
２０    体重計
２１    通信部（第２通信部）
２２    端末重量決定部
２３    荷重測定部
２４    体重決定部
２５    操作部
２６    記憶部
２７    表示部
２８    制御部
３０    体重測定システム
Ｔａ    端末重量値
Ｗａ    荷重値
Ｗ０    体重値
【図１】
2014190785.tif 000003
【図２】
2014190785.tif 000004
【図３】
2014190785.tif 000005
【図４】
2014190785.tif 000006